(57)【要約】  移植可能な医療機器の金属の外殻から、アンテナが干渉のない信号を送信および受信し得る開空間を提供するためのテレメトリ・ポートであって、テレメトリ・ポートは、アンテナを受容するための空所空間を画定するハウジングを含む。空所空間は、アンテナがハウジングに接触しないように、アンテナに十分な空間を提供するように構成されている。ハウジングは、移植可能な医療機器に一体化され、移植可能な医療機器と密封シールを形成することができる、底縁部に沿って位置付けられた外縁部をさらに含む。
2018532448.tif 000002
【特許請求の範囲】
【請求項１】
アンテナが干渉のない信号を送信および受信し得る開空間を提供するためのテレメトリ・ポートにおいて、
アンテナを空所空間内に受容するための前記空所空間を中に画定するハウジングであって、前記アンテナが前記ハウジングに接触しないように、中に位置付けられた前記アンテナに十分な空間を提供するように前記空所空間がさらに構成された、ハウジングと、前記空所空間内に画定された間隙であって、前記間隙が、前記アンテナと前記ハウジングとの間に位置付けられ、前記間隙がさらに、前記ハウジング内での前記アンテナの移動の自由を可能にするために、前記ハウジングに接触することのない前記アンテナの移動の結果として前記アンテナが前記ハウジング内で自由に移動することができるように、前記アンテナに対して十分なサイズである、間隙と、を備え、
前記ハウジングが、前記ハウジングの底縁部に沿って位置付けられた外縁部をさらに画定し、それによって、前記外縁部が、移植可能な医療機器に一体化され、前記移植可能な医療機器と密封シールを形成することができ、
前記ハウジングが、テレメトリ信号に対して透過性である材料を含む、テレメトリ・ポート。
【請求項２】
前記外縁部が、第１のバンド、第２のバンド、およびリングをさらに備え、前記リングが、前記第１のバンドと第２のバンドとの中間に位置付けられ、前記リングが溝を形成し、前記第１のバンドおよび第２のバンドの各々に対して凹むように、前記リングが、前記第１のバンドおよび前記第２のバンドの各々の円周よりも概ね小さい円周をさらに有する、請求項１に記載のテレメトリ・ポート。
【請求項３】
前記外縁部が、移植可能な医療機器の縁と嵌合するように構成されている、請求項２に記載のテレメトリ・ポート。
【請求項４】
前記テレメトリ・ポートの前記外縁部が前記移植可能な医療機器と一体的に嵌合されたとき、前記リングが、前記移植可能な医療機器の前記縁と概ね同じ高さである、請求項３に記載のテレメトリ・ポート。
【請求項５】
前記テレメトリ・ポートの前記外縁部が前記移植可能な医療機器とのシールされた嵌合係合状態にあるとき、前記第１のバンドが、前記縁より上で前記移植可能な医療機器と嵌合するように構成され、前記第２のバンドが、前記縁より下で前記移植可能な医療機器と嵌合するよう構成されている、請求項４に記載のテレメトリ・ポート。
【請求項６】
前記ハウジングが、第１の側壁および前記第１の側壁に概ね対向する第２の側壁と、第１の横側面ならびに前記第１の横側面に概ね対向し、前記第１の側壁および第２の側壁に隣接する第２の横側面と、前記第１の側壁、第２の側壁、第１の横側面、および第２の横側面の各々の最上縁部に沿って位置付けられた頂面であって、前記第１の側壁と第２の側壁との中間に位置付けられ、前記第１の側壁から前記第２の側壁まで、および前記第１の横側面から前記第２の横側面まで間にさらに延在する、頂面と、を備える、請求項１に記載のテレメトリ・ポート。
【請求項７】
前記ハウジングの材料が、可撓性の透明なプラスチックを含む、請求項１に記載のテレメトリ・ポート。
【請求項８】
前記空所空間が、アンテナの進入または退出を可能にするように構成されている、請求項１に記載のテレメトリ・ポート。
【請求項９】
前記空所空間が、一体型ＰＣボードを有するアンテナの進入または退出を可能にするように構成されている、請求項１に記載のテレメトリ・ポート。
【請求項１０】
テレメトリ信号を受信および送信するのに十分な前記アンテナの一部分だけが、前記空所空間内に突出する、請求項１に記載のテレメトリ・ポート。
【請求項１１】
前記空所空間が、テレメトリ信号の自由な流れを可能にするように構成されている、請求項１に記載のテレメトリ・ポート。
【請求項１２】
前記外縁部が、前記移植可能な医療機器の外殻の縁に沿って位置付けられた孔で前記移植可能な医療機器と嵌合するように構成され、それによって、前記外殻の前記孔が、前記アンテナに、前記移植可能な医療機器の前記外殻および前記テレメトリ・ポート内からの進入および退出地点を提供する、請求項１に記載のテレメトリ・ポート。
【請求項１３】
移植可能な医療機器において、
外殻であって、当該外殻内に配置された１つ以上の内部構成要素を囲繞するための前記外殻と、
前記外殻に固着されたテレメトリ・ポートであって、前記テレメトリ・ポートは、アンテナが前記外殻から干渉のない信号を送信および受信し得る開空間を提供し、前記テレメトリ・ポートが、前記外殻の縁に沿って位置付けられた孔で前記外殻に固着され、それによって、前記外殻の前記孔が、前記アンテナに、前記ハウジングおよび前記テレメトリ・ポート内からの進入および退出地点を提供する、テレメトリ・ポートと、を備え、
前記テレメトリ・ポートが、前記外殻と密封シールを形成する、移植可能な医療機器。
【請求項１４】
前記テレメトリ・ポートが、前記アンテナを空所空間内で受容するための前記空所空間を中に画定するハウジングであって、前記アンテナが前記テレメトリ・ポートの前記ハウジングに接触しないように、中に位置付けられた前記アンテナに十分な空間を提供するように前記空所空間がさらに構成された、ハウジングと、前記空所空間内に画定された間隙であって、前記間隙が、前記アンテナと前記ハウジングとの間に位置付けられ、前記間隙がさらに、前記ハウジング内での前記アンテナの移動の自由を可能にするために、前記アンテナが前記ハウジングに接触せずに前記ハウジング内で任意の方向に自由に移動することができるように、前記アンテナに対して十分なサイズである、間隙と、を含む、請求項１３に記載の移植可能な医療機器。
【請求項１５】
前記テレメトリ・ポートが、前記テレメトリ・ポートの底縁部に沿って位置付けられた外縁部を含み、それによって前記外縁部が前記外殻と一体化する、請求項１３に記載の移植可能な医療機器。
【請求項１６】
前記テレメトリ・ポートの前記ハウジングが、テレメトリ信号に対して透過性である材料を含む、請求項１３に記載の移植可能な医療機器。
【請求項１７】
前記外殻が、テレメトリ信号に対して概ね不透過性である材料を含む、請求項１６に記載の移植可能な医療機器。
【請求項１８】
移植可能な医療機器を製造する方法において、
（ａ）テレメトリ・ポートを提供するステップであって、前記テレメトリ・ポートは、中に位置付けられたアンテナが干渉のない信号を送信および受信し得る開空間を有し、前記テレメトリ・ポートが、アンテナを空所空間内に受容するための前記空所空間を中に画定するハウジングであって、前記アンテナが前記ハウジングに接触しないように、中に位置付けられた前記アンテナに十分な空間を提供するように前記空所空間がさらに構成された、ハウジングと、前記空所空間内に画定された間隙であって、前記間隙が、前記アンテナと前記ハウジングとの間に位置付けられ、前記間隙がさらに、前記ハウジング内での前記アンテナの移動の自由を可能にするために、前記アンテナが前記ハウジングに接触せずに前記ハウジング内で自由に移動することができるように、前記アンテナに対して十分なサイズである、間隙と、を含み、前記ハウジングが、前記ハウジングの底端部に沿って位置付けられた外縁部をさらに画定し、それによって、前記外縁部が、移植可能な医療機器に一体化され、前記移植可能な医療機器と密封シールを形成することができ、前記ハウジングが、テレメトリ信号に対して透過性である材料を含む、提供するステップと、
（ｂ）前記テレメトリ・ポートを前記移植可能な医療機器の外殻の一部分に固着するステップと、
（ｃ）前記アンテナを前記移植可能な医療機器の前記外殻内に挿入するステップと、
（ｄ）前記アンテナの少なくとも一部分を前記移植可能な医療機器の前記テレメトリ・ポート内に挿入するステップであって、それによって、前記テレメトリ・ポート内の前記アンテナの前記一部分が、信号を送信および受信するのに十分である、挿入するステップと、
（ｅ）前記テレメトリ・ポートを前記外殻に密封シールするステップと、を含む、方法。
【請求項１９】
内部配置格子構造を備えたモジュールを提供することをさらに含み、それによって、前記アンテナが、前記外殻およびテレメトリ・ポート内の適所にスライドされる、請求項１８に記載の方法。
【請求項２０】
前記テレメトリ・ポートが、レーザまたは音波溶接を使用して前記移植可能な医療機器の前記外殻に密封シールされる、請求項１８に記載の方法。
【発明の詳細な説明】
【技術分野】
【０００１】
本発明は、概して、動物またはヒトの体内に移植された電子医療機器に関し、特に、本発明は、テレメトリ通信機構を含む完全移植電子医療機器に関する。
【背景技術】
【０００２】
移植可能な電子医療機器（ＩＭＤ：Ｉｍｐｌａｎｔａｂｌｅ  ｅｌｅｃｔｒｏｎｉｃ  ｍｅｄｉｃａｌ  ｄｅｖｉｃｅｓ）は、しばしば、他の機器、例えば、別のＩＭＤまたは例えば、モニタリングシステムもしくはプログラミングコンソールなどの外部機器と通信する必要がある。
【０００３】
テレメトリ（ＴＥＬＥＭＥＴＲＹ）通信システムは、情報を双方向モードで送信および受信する。システムは、別個の機器に対して、別個の機器がその電子的または電気機械的性能を変化させ、それによって機器を制御し得るコマンドを送信または受信する。システムは、ハードウェアおよびソフトウェア、センサ、伝送プロトコル、ならびに通常は何らかの形態のディスプレイ、また、場合によっては、かかる相互作用を記録することができるハードウェアおよびソフトウェアからなり得る。
【０００４】
テレメトリシステムは、遠隔移植ソースからのデータを取得して送信し、移植機器および使用者の活動に関する情報を提供するように実装することができる。
【０００５】
医師が、ＩＭＤの制御を訓練すること、または別様にＩＭＤの動作状態に関する情報を得ることが望ましい。
【０００６】
ＩＭＤ（ＩＭＤ’ｓ）は、種々の医療状態についての処置を行うためのある特定のタスクを遂行する。遠隔制御テレメトリ機構を含むように設計されているＩＭＤ（ＩＭＤ’ｓ）は、機器が遠隔制御テレメトリコマンドを送信および／または受信することを必要とする。被験体の内部組織をＩＭＤ内の有毒構成要素の可能性のある漏出から、または該構成要素との接触から保護し、また、ＩＭＤの外殻の中への内部体液の侵入も防止するために、ＩＭＤの主要電子部品および電源をＩＭＤの外殻内に密封シールすることが重要である。ＩＭＤ（ＩＭＤ’ｓ）の主要電子部品および電源は、例えば、チタンなどの金属の材料の何らかの形態からたいてい作製される硬質外殻ケースの中に密封シールされる。ＩＭＤの外殻ケーシングは別の好適な材料から形成され得ることが理解される。
【０００７】
金属化合物は、非多孔質で不活性であり、かつ耐久性が高いため、ＩＭＤの外殻を構成するのに有効な材料である。しかしながら、金属化合物は、金属が電子受信機との間で行き来する遠隔テレメトリ信号を妨害または遮断するため不都合である。
【０００８】
医療機器産業は、全体として、内包されている種々の電子部品を被験体の体液から保護するだけでなく、インプラント被験体の組織が、ＩＭＤ内の移植構成要素と関連し得る潜在的に有毒な、または別様に有害な要素に曝露されることからも保護するために、耐久性、不活性性、ならびに空気および流体密封性について、ＩＭＤ（ＩＭＤ’ｓ）の外殻構造にチタンなどの材料を利用してきた。
【０００９】
しかしながら、かかる実例では、遠隔制御コマンドを、ＩＭＤの金属の外殻またはケース内に内包された電子構成要素に対して、一定の基準で受信または送信することができないため、問題が生じる。
【００１０】
ＩＭＤ（ＩＭＤ’ｓ）についての有望な材料の短期および長期のインプラント試験では、特に移植機器が搭載型電源を含む場合、プラスチックを使用することに関連した問題が特定された。問題としては、限定はされないが、内部体液がケースの中に侵入することを可能にし得る多孔性、ならびにプラスチックの外殻の構造的一体性を変化させ得る、可能性のあるオフガス作用（ｏｆｆ−ｇａｓｓｉｎｇ）の問題が挙げられる。
【００１１】
先行技術としては、移植電子医療機器からテレメトリ信号を送信／受信する際の干渉を低減または克服するための種々の試みが挙げられる。例えば、（Ｔｈｏｍｓｏｎに対する）米国特許第６，８６８，２８８Ｂ２号は、薄膜バルク音響共振器フィルタを備えた帯域外除去フィルタを含むテレメトリ回路に連結されたＲＦアンテナを有する移植可能な医療機器（ＩＭＤ）のためのテレメトリ受信機である。
【００１２】
（Ｓｔｅｖｅｎｓｏｎらに対する）米国特許第８，１６０，７０５Ｂ２号は、中を通って延在する無線周波数（ＲＦ：ｒａｄｉｏ  ｆｒｅｑｕｅｎｃｙ）テレメトリピンアンテナを含むＡＩＭＤのためのＥＭＩフィルタ端子アセンブリを提供しており、テレメトリピンと非導電関係にあるＲＦテレメトリピンアンテナの一部分の上に延在し、ＡＩＭＤに関連するアースに導電接続された導電性シールドを含む。
【００１３】
（Ａｍｅｌｙ−Ｖｅｌｅｚらに対する）米国特許第８，５２７，０６０Ｂ２号は、高出力電磁干渉を有する環境にあるとき、患者内のＡＩＭＤとテレメトリワンドとの間のテレメトリ通信を維持するように構成されているシールドを教示している。シールドは、プラスチック組成物を含み得、外殻内に体積および開口を画定する壁を含む外殻を含む。体積は、テレメトリワンドの第２および横側面が壁のそれぞれの部分に面し、第１の側面が外殻内の開口に面するように、テレメトリワンドを中に受容するように構成することができる。
【００１４】
（Ｈｅｒｍａｎらに対する）米国特許公開第２０１２／０３２６８８６Ａ１号は、テレメトリアンテナと、アンテナの少なくとも一部分を実質的に取り囲むシールドとを備える移植可能な医療機器との通信のためのテレメトリヘッドを開示しており、シールドは、シールドの少なくとも一部分に適用された強磁性材料を含むコーティングを有し、コーティングは、テレメトリアンテナの少なくとも一部分を電磁干渉場からシールドしつつ、テレメトリ信号がコーティングを通過することを許容するように構成されている。
【発明の概要】
【発明が解決しようとする課題】
【００１５】
このように、アンテナをＩＭＤの金属の外殻からの干渉に供することなく、ＩＭＤ内のアンテナを遠隔放送信号に曝露させることが望ましい。
【課題を解決するための手段】
【００１６】
本発明は、遠隔テレメトリアンテナが、アンテナを収容するテレメトリ・ポートを使用することによって、干渉なしで遠隔放送信号への拘束されないアクセスを得ることを可能にする。テレメトリ・ポートは、ＩＭＤの金属の外殻としっかりと結合することができる非金属、好ましくは、プラスチック化合物から形成される。テレメトリ・ポートのための材料は、耐久性があり、かつヒト組織および内部体液をＩＭＤ内の機械的、電子的、または電源構成要素のうちのいずれかと接触することから保護し、ならびに拘束されない双方向のテレメトリ信号を可能にすることができるべきである。
【００１７】
本発明は、テレメトリボックスまたはモニタから突出した延長カバーまたはポートとして説明され、テレメトリボックスは、チタンまたは他の金属の外殻筐体を含み得る。本明細書において、テレメトリボックスは、ＩＭＤの一形態であることに留意されたい。テレメトリ・ポートの底部部分は、チタンまたは他の金属の外殻筐体に密封シールされている。好ましい一実施形態では、テレメトリ・ポートは、可撓性の透明なプラスチック材料を含む。テレメトリ・ポートは、テレメトリボックスから、テレメトリボックスまたはモニタの金属の外殻筐体を越えて突出したテレメトリ・ポート内の空所空間の中まで延在する内部テレメトリアンテナのための干渉のない送信域を提供する。これによって、内部テレメトリアンテナは、テレメトリボックスの金属またはチタンの外殻から、干渉のない信号を送信および受信することができる。任意の所与の時間においてテレメトリ・ポート内に１つまたは１つ以上のアンテナが存在し得ることが理解されるべきである。
【００１８】
アンテナは、テレメトリ・ポート内に位置付けられるが、テレメトリ・ポート内に頑丈に内包されるものではない。したがって、テレメトリ・ポート内のアンテナ（複数可）は、完全に制限されるものではない。テレメトリ・ポートは、テレメトリ・ポートに接触することなく、アンテナにポート内で動き回るのに十分な場所を提供し、それによって、アンテナがテレメトリ・ポートのハウジング／外殻に接触した場合に生じ得る、例えば、アンテナが頑丈に内包された場合に生じ得る、送信機または受信機との接続の可能性のある中断を回避する。
【００１９】
したがって、本発明の一態様は、遠隔テレメトリコマンドを、テレメトリボックスのチタンまたは他の金属の外殻から、干渉なしに送信または受信することができる「自由域」を提供することである。
【００２０】
本発明の別の態様は、テレメトリボックスの金属の外殻の材料との結合が、体液の侵入の可能性を作り出すことなく、ＩＭＤの外殻の構成要素全体が完全に密封シールされたままであるという性質のものであることを確保し続けることができるような手法で結合することができる材料を含むというものである。
【００２１】
好ましい一実施形態では、本発明のテレメトリ・ポートは、遠隔テレメトリコマンドの障害のない送信および受信を可能にするのに好適な非常に耐久性のある可撓性のプラスチック材料から製造される。
【００２２】
テレメトリ・ポートの材料の少なくとも一部分はまた、テレメトリボックスと密封シールを形成するように、テレメトリボックスの外殻の材料と密接に結合することもできなければならない。
【００２３】
本発明のテレメトリ・ポートは、広範囲の寸法および／または形状で作製することができる。テレメトリ・ポートは、その材料がテレメトリ信号の自由な流れを可能にし、テレメトリボックスまたはＩＭＤの主要本体の外殻と密封結合することができる限り、広範囲の材料から作製することができる。
【００２４】
好ましい一実施形態では、クリアな可撓性のプラスチック材料を使用して、テレメトリ・ポートを形成することができる。プラスチックを使用して、信号がテレメトリボックスの主要本体のチタンの外殻から跳ね返ることを防止する。
【００２５】
本発明のテレメトリ・ポートは、遠隔テレメトリ受信アンテナが信号の受信および送信への拘束されないアクセスを得ることを可能にする手段を提供する。テレメトリボックスまたはＩＭＤの主要本体は、機械的、電子的、および電源構成要素を収容する。
【発明の効果】
【００２６】
本発明の１つの利点は、突出したテレメトリ・ポートがＩＭＤの主要本体に密封シールされることである。
【００２７】
本発明の１つの目的は、テレメトリ・ポートが信号干渉を防止し、信号の送信および受信を改善するために、テレメトリアンテナのリード線に「自由送信」域を提供することである。
【００２８】
本発明のテレメトリ・ポートの別の利点は、ヒト組織および内部体液をＩＭＤの主要本体内部の機械的、電子的、または電源構成要素のうちのいずれかと接触することから継続して保護し（逆もまた同様）、ならびに拘束されない双方向のテレメトリ信号の送信および受信を可能にすることの両方ができることである。
【００２９】
本発明のさらに別の利点は、テレメトリ・ポート内のアンテナがテレメトリ・ポートのハウジングに接触することなく自由に移動することを可能にすることである。
【００３０】
本発明の上記ならびに他の特徴および利点、ならびにそれらを達成する様式がより明らかになり、本発明自体は、添付の図面と共に説明される本発明の実施形態の以下の説明を参照することによって、よりよく理解されるであろう。
【００３１】
本明細書において本発明または本発明の態様になされた言及は、本発明のある特定の実施形態を意味するものと理解されるべきであり、必ずしもすべての実施形態を特定の説明に限定するものとして解釈されるべきではないことに留意されたい。
【００３２】
本発明は、発明の概要ならびに添付の図面および発明の詳細な説明において種々のレベルで詳細に記載されており、この発明の概要における要素、構成要素などの包含または非包含のいずれかによって意図される本発明の範囲を限定するものではない。本発明の追加の態様は、詳細な説明から、特に、図面と一緒に説明されるときに、より容易に明らかになるであろう。
【図面の簡単な説明】
【００３３】
【図１】移植可能な電子医療機器を伴った本発明のテレメトリ・ポートの分解図である。
【図２】本発明のテレメトリ・ポートの側面図である。
【図３】本発明のテレメトリ・ポートの正面図である。
【図４】本発明のテレメトリ・ポートの底面図である。
【図５】本発明のテレメトリ・ポートの側断面図である。
【図６】本発明の遠隔測定ポートの底部の側面斜視図である。
【図７】本発明の代替的な実施形態の側面図である。
【図８】図８に示された本発明の代替的な実施形態の正面図である。
【図９】図８に示された本発明のテレメトリ・ポートの拡大図である。
【発明を実施するための形態】
【００３４】
本発明の詳細な実施形態を本明細書において開示する。しかしながら、開示の実施形態は、本発明の単なる例示であり、種々の形態で具現化することができることを理解されたい。したがって、本明細書に開示の詳細は、限定として解釈されるべきではなく、単に、特許請求の範囲の基礎として、ならびに本発明の作製および／または使用方法を当業者に教示するための基礎として解釈されるべきである。
【００３５】
ここで図１〜９を参照すると、主題の発明は、アンテナ２０が、ＩＭＤ３０の金属外殻３２から、干渉のない信号を送信および受信し得る開空間を提供するためのテレメトリ・ポート１０である。外殻３２が１つ以上のセグメントを含み得ることが理解される。一実施形態では、外殻は、セグメント３８および３８’を含む。テレメトリ・ポート１０は、テレメトリ信号を送信および受信することに対して透過性であり、テレメトリ信号の自由でクリアな進入および退出を可能にする材料を含む。好ましい一実施形態では、テレメトリ・ポート１０の材料は、クリアな可撓性のプラスチックである。テレメトリ・ポート１０の材料はまた、その材料がテレメトリ信号およびテレメトリ・ポート１０の少なくとも一部分に対して透過性であり、金属外殻３２と密封シールを形成することができる限り、硬質プラスチック、クリアではないプラスチック、または別の材料も含み得ることを理解されたい。
【００３６】
テレメトリ・ポート１０は、アンテナ２０を空所空間１６内に受容するための空所空間１６を中に画定するハウジング１２を含む。空所空間１６は、その中でアンテナ２０がテレメトリ・ポート１０内のテレメトリ信号の自由な流れにおいて機能することを可能にするのに十分なサイズである。
【００３７】
空所空間１６は、アンテナ２０がテレメトリ・ポート１０のハウジング１２に接触しないように、中に位置付けられたアンテナ２０に十分な空間を提供するように構成されている。アンテナ２０とハウジング１２との間に画定された間隙２２が存在する。間隙２２は、ハウジング１２内でのアンテナ２０の移動の自由を可能にするために、ハウジング１２に接触することのない振動移動の結果としてアンテナ２０がハウジング１２内で任意の方向に自由に移動することができるように、アンテナ２０に対して十分なサイズである。テレメトリ・ポート１０内でのアンテナ２０の移動は、例えば、アンテナ２０が収縮されているか、または別様に収縮可能である場合など、振動移動または他の機械的移動に起因し得る。
【００３８】
テレメトリ・ポート１０のハウジング１２は、外縁部４０を含む。外縁部４０は、テレメトリ・ポート１０のハウジング１２の底縁部に沿って位置付けられる。外縁部４０は、ＩＭＤ３０と一体的に嵌合するように構成されている。好ましい一実施形態では、外縁部４０は、テレメトリ・ポート１０がＩＭＤ３０と一体連通状態にあるとき、ＩＭＤ３０の縁３４と嵌合する。外縁部４０は、ＩＭＤ３０の外殻３２と密封シールを形成することができる耐久性のある材料をさらに含む。
【００３９】
テレメトリ・ポート１０とＩＭＤ３０との間の密封シールは、ＩＭＤ３０もしくはテレメトリ・ポート１０の中への体液の侵入、またはＩＭＤ３０および被験体の内部組織内の構成要素からの潜在的な有毒材料の漏出もしくは該有毒材料との接触を防止するために必要である。縁３４におけるテレメトリ・ポート１０の外縁部４０とＩＭＤ３０の外殻３２との間の密封シールは、レーザもしくは音波または別の溶接プロセスを使用して達成することができる。テレメトリ・ポート１０は、当業者によって理解されるであろう他の方法を使用して、ＩＭＤ３０の外殻３２に対して密封シールされ得ることに留意されたい。
【００４０】
テレメトリ・ポート１０の外縁部４０は、第１のバンド４２と、第２のバンド４４と、第１のバンド４２と第２のバンド４４との中間に位置付けられたリング４３とを含み、リング４３は、リング４３が溝を形成し、第１のバンド４２および第２のバンド４４の各々に対して凹むように、第１のバンド４２および第２のバンド４４の各々の円周よりも概ね小さい円周をさらに有する。
【００４１】
一実施形態では、テレメトリ・ポート１０のハウジング１２は、第１の側壁５０および第１の側壁５０に概ね対向する第２の側壁５２と、第１の横側面５４ならびに第１の横側面５４に概ね対向し、第１の側壁５０および第２の側壁５２に隣接する第２の横側面５６と、第１の側壁５０、第２の側壁５２、第１の横側面５４、および第２の横側面５６の各々の最上縁部に沿って位置付けられた頂面５８であって、第１の側壁５０と第２の側壁５２との中間に位置付けられ、第１の側壁５０から第２の側壁５２まで、および第１の横側面５４から第２の横側面５６まで間にさらに延在する、頂面５８と、を備える。
【００４２】
外縁部４０およびＩＭＤ３０の縁３４がシール係合状態にあるように、テレメトリ・ポート１０の外縁部４０がＩＭＤ３０と一体連通状態にあるとき、孔３６において、外縁部４０の第１のバンド４２は、縁３４より上でＩＭＤ３０と嵌合するように構成され、第２のバンド４４は、縁３４より下でＩＭＤ３０と嵌合するように構成されている。テレメトリ・ポート１０の外縁部４０およびＩＭＤ３０の縁３４がシール係合状態にあるとき、リング４３は、ＩＭＤ３０の縁３４と概ね同じ高さである。
【００４３】
孔３６は、アンテナ２０に、ＩＭＤ３０の外殻３２およびテレメトリ・ポート１０内からの進入および退出地点を提供する。
【００４４】
好ましい一実施形態では、テレメトリ・ポート１０の空所空間１６は、アンテナ２０の進入または退出を可能にするのに十分なサイズである。アンテナ２０は、収縮可能であってもよいことに留意されたい。別の実施形態では、テレメトリ・ポート１０の空所空間１６は、搭載型または一体型ＰＣボード２４を備えたアンテナ２０の進入または退出を可能にするのに十分なサイズである。
【００４５】
さらに別の実施形態では、信号を自由に受信および送信するのに十分なアンテナ２０の一部分が、テレメトリ・ポート１０の空所空間１６内に突出している。
【００４６】
本発明の別の実施形態では、テレメトリ・ポート１０は、ＩＭＤ３０の外殻３２に固着されている。
【００４７】
テレメトリ・ポート１０は、テレメトリ・ポート１０内のアンテナ２０の部分がテレメトリ・ポート１０のハウジング１２に接触することなく、テレメトリ・ポート１０内で自由に移動することを可能にし、種々の状況下で起こり得るテレメトリ・ポート１０内でのアンテナ２０の移動のための空間を可能にする。例えば、アンテナ２０の移動は、振動の結果として、またはアンテナ２０がテレメトリ・ポート１０に出入りするときに起こり得る。
【００４８】
テレメトリアンテナ２０は、信号の送信および受信を可能にし、搭載型ＰＣボード２４を含み得る。アンテナ２０は、種々のサイズ、形状、および構成を含み得ることが理解される。好ましい一実施形態では、アンテナ２０は、搭載型ＰＣボード２４に固着された固形の突起を備える。
【００４９】
さらに別の好ましい実施形態では、内部格子配置構造を有するモジュールを使用して、アンテナおよび搭載型ＰＣボード２４をＩＭＤ３０およびテレメトリ・ポート１０の中へスライドさせる。本発明の精神および範囲から逸脱することなく、多くの異なるタイプおよびサイズのアンテナ２０を使用することできることが理解される。テレメトリ・ポート１０には、本発明の精神および範囲から逸脱することなく、多くの可能性のあるサイズおよび構成が存在することがさらに理解される。
【００５０】
ここで特に図１を参照しながら、本発明のテレメトリ・ポート１０の分解図をＩＭＤ３０と共に示す。テレメトリ・ポートは、空所空間１６をテレメトリ・ポート１０内に画定するハウジング１２を含む。この実施形態では、ＩＭＤ３０の外殻３２は、セグメント３８および３８’を含む。アンテナ２０は、セグメント３８を通って外殻３２に入り、ＩＭＤ３０の外殻３２を越えて、テレメトリ・ポート１０の空所空間１６の中へ、ＩＭＤ３０の外殻３２の縁３４の孔３６を通って上方に突出する。テレメトリ・ポート１０の外縁部４０を示す。外縁部４０は、縁３４の孔３６でＩＭＤ３０と嵌合し、ＩＭＤ３０とシール係合を形成する。
【００５１】
図２は、本発明のテレメトリ・ポート１０の好ましい一実施形態の側面図である。説明のように、テレメトリ・ポート１０は、頂面５８を含み、頂面５８は、第１の側壁５０、第１の横側面５４、および第２の横側面５６の各々の最上縁部に沿って位置付けられ、頂面５８は、第１の横側面５４から第２の横側面５６まで延在する。第２の横側面５６は、示されるように、第１の横側面５４に概ね対向し、第１の側壁５０に隣接する。テレメトリ・ポート１０の外縁部４０は、第１のバンド４２と、第２のバンド４４と、第１のバンド４２と第２のバンド４４との間および中間に位置付けられたリング４３とを含み、リング４３は、リング４３が溝を形成し、第１のバンド４２および第２のバンド４４の各々に対して凹むように、第１のバンド４２および第２のバンド４４の各々の円周よりも概ね小さい円周をさらに有することを、図２はさらに説明する。
【００５２】
図３は、本発明のテレメトリ・ポートの正面図であり、図２に示す実施形態をさらに説明する。
【００５３】
図４は、テレメトリ・ポート１０の底部を説明する、本発明のテレメトリ・ポートの底面図である。示されるように、第２のバンド４４は、アンテナ２０（図示せず）を空所空間１６の中に入れるための開口を包囲している。
【００５４】
図５は、本発明のテレメトリ・ポート１０の側断面図である。テレメトリ・ポート１０内の空所空間１６は、アンテナ２０（図示せず）を受容し、アンテナ２０が、ＩＭＤ３０（図示せず）から、干渉のないテレメトリ信号を送信および受信することを可能にする。
【００５５】
図６は、本発明のテレメトリ・ポート１０の底部の側面斜視図である。第２の側壁５２および第１の横側面５４が示されており、頂面５８は、第２の側壁５２および第１の横側面５４の各々の最上縁部に沿って位置付けられ、頂面５８は、第２の側壁５２の中間にあり、第１の側壁５０（図示せず）から第２の側壁５２まで、および第１の横側面５４から第２の横側面５６（図示せず）まで間にさらに延在する。
【００５６】
図７は、本発明の代替的な実施形態の側面図であり、２つのセグメント３８および３８’を有するＩＭＤ３０の外殻３２を説明する。
【００５７】
図８は、図７に示される本発明の代替的な実施形態の正面図であり、テレメトリ・ポート１０をＩＭＤ３０と共に説明する。テレメトリ・ポート３０の外縁部４０は、ＩＭＤ３０とシールされた嵌合係合状態にあり、ＩＭＤ３０の縁３４の孔３６でＩＭＤ３０に接続している。アンテナ２０は、テレメトリ・ポート１０の空所空間１６内に突出した状態で示されている。
【００５８】
図９は、図８に示された本発明のテレメトリ・ポート１０の拡大図である。アンテナ２０とハウジング１２との間に画定された間隙２２が示されている。間隙２２は、ハウジング１２内でのアンテナ２０の移動の自由を可能にするために、アンテナ２０に対して十分なサイズである。テレメトリアンテナ１０のハウジング１２は、第１の側壁５０、第１の側壁５０に概ね対向する第２の側壁５２、および頂面５８を含む。外縁部４０は、ＩＭＤ３０の縁３４とシールされた嵌合係合状態にある。示されるように、テレメトリ・ポート１０の外縁部４０およびＩＭＤ３０の縁３４がシール係合状態にあるとき、リング４３は、ＩＭＤ３０の縁３４と概ね同じ高さであり、第２のバンド４４は、縁３４より下でＩＭＤ３０と嵌合し、第１のバンド４２は、縁３４より上でＩＭＤ３０と嵌合する。
【００５９】
好ましい一実施形態では、テレメトリ・ポート１０の寸法は、第１の側壁５０、第２の側壁５２、第１の横側面５４、および第２の横側面５６が各々、概ね０．１０１６センチメートル（０．０４０インチ）の厚さを有するような寸法である。好ましい一実施形態では、頂面５８から第２のバンド４４の上部側面までの測定長さは、概ね１．００３３センチメートル（０．３９５インチ）である。好ましい一実施形態では、第１の横面５４および第２の横面５６は各々、概ね０．７８７４センチメートル（０．３１０インチ）の幅を有する。好ましい一実施形態では、側壁５０および第２の側壁５２は各々、概ね１．３２０８センチメートル（０．５２０インチ）の幅を有する。好ましい一実施形態では、リング４３は、概ね０．０５０８センチメートル（０．０２０インチ）の厚さを含む。好ましい一実施形態では、第２のバンド４４は、概ね０．１０１６センチメートル（０．０４０インチ）の厚さを有する。第２のバンド４４は、縁３４より下におよび孔３６より上に概ね０．１０１６センチメートル（０．０４０インチ）まで延在する。
【００６０】
好ましい一設計を有するものとして本発明を説明してきたが、本発明は、本開示の精神および範囲内でさらに変更することができる。したがって、本出願は、その全体的な原理を使用して、本発明の任意の変形、使用、または適応を網羅することが意図される。さらに、本出願は、本発明が関連し、添付の特許請求の範囲の限定内に該当する当該技術分野において周知または通例の実施内に入る本開示からのかかる逸脱を網羅することが意図される。
【図１】
2018532448.tif 000003
【図２】
2018532448.tif 000004
【図３】
2018532448.tif 000005
【図４】
2018532448.tif 000006
【図５】
2018532448.tif 000007
【図６】
2018532448.tif 000008
【図７】
2018532448.tif 000009
【図８】
2018532448.tif 000010
【図９】
2018532448.tif 000011
【国際調査報告】
2018532448.tif 000012